(57)【要約】      （修正有）【課題】シールリングの取り換え作業を簡単迅速に行う方法とそれに使用する器具を提供する。【解決手段】少なくとも１カ所で切断部を有する新しいシールリング３０を用意し、切断部を広げシャフト１８にかぶせる工程、押圧部４７を有するシールリング押し込み部材４０をシールリング３０にかぶせて、押圧部４７がシールリング３０と接触するようにする工程、シールリング押し込み部材４０と共に、シールリング３０を所定位置まで押し込む工程、シールリング押し込み部材４０を取り外す工程、シールリング３０の切断部の切断面を接合する工程、シールリング３０の締め込み部材３５で前記シールリング３０を締め込む工程、を有する。【選択図】図１０
2014074430.tif 000002
【特許請求の範囲】
【請求項１】
フロキュレータ用水中軸受（２１）のシールリング（３０）取り換え方法であって、次の工程を有することを特徴とする方法。
(a) 軸受のケーシング（２３）を取り外す工程、
(b) 古いシールリングを除去する工程、
(c) 少なくとも１カ所で切断部（３６）を有する新しいシールリング（３０）を用意し、前記切断部（３６）を広げ前記シャフト（１８）にかぶせる工程、
(d) 押圧部（４７）を有するシールリング押し込み部材（４０）を前記シールリング（３０）にかぶせて、前記押圧部（４７）がシールリング（３０）と接触するようにする工程、
(e)前記シールリング押し込み部材（４０）と共に、前記シールリング（３０）を所定位置まで押し込む工程、
(f) 前記シールリング押し込み部材（４０）を取り外す工程、
(g) シールリング（３０）の前記切断部（３６）の切断面を接合する工程、
(h) シールリング（３０）の締め込み部材（３５）で前記シールリング（３０）を締め込む工程、
(i) 前記ケーシング（２３）を再び取り付ける工程。
【請求項２】
請求項１または２の方法に使用するシールリング押し込み部材（４０）からなる器具であって、少なくとも２つに分割可能であり、シールリング（３０）の少なくとも後端部を包み込む大きさと形状を有すると共に、前記シールリング（３０）を押圧する押圧部（４７）を有することを特徴とする器具。
【請求項３】
前記押圧部（４７）は傾斜しており、その傾斜角度はシールリング（３０）の隆起部（３３）角度とほぼ等しい請求項２記載の器具。
【請求項４】
古いオイルシールを新しいオイルシール（２７）に取り換える工程をさらに有する請求項１記載の方法。
【請求項５】
請求項１の方法に使用するシールリング（３０）であって、少なくとも１カ所でリング状態を破断する切断部（３６）を有することを特徴とするシールリング。
【発明の詳細な説明】
【技術分野】
【０００１】
本発明は、浄水場のフロキュレータ用水中軸受のシールリング取り換え方法およびこれに用いる器具に関する。
【背景技術】
【０００２】
従来、浄水プラントにおいては、取水塔から取り入れた被処理水を沈砂池に供給し、この沈砂池において被処理水から砂を除去した後、着水井を経て混和池に供給するようになっている。そして、混和池において被処理水に凝集剤、ｐＨ調整剤等を添加し、急速攪拌して薬品混和を行うようにしている。
【０００３】
続いて、被処理水はフロック形成池に供給される。このフロック形成池において被処理水は緩速攪拌され、沈降可能なまでにフロックの成長が促進される。
【０００４】
前記フロック形成池においては、被処理水を低速で攪拌するためにフロキュレータが使用される。フロキュレータは、シャフトに簀の子状のパドルを複数個固定して形成され、駆動装置によってシャフトが回転させられるようになっている。
【０００５】
前記シャフトは被処理水中において水平に配設され、両端が軸受によって支持され、ベアリングにより回転自在とされている。シャフトはケーシング内のシールリングやオイルシールで水密状態に維持されている。このシールリングやオイルシールは経年劣化のため定期的な取り換えが必要である。従来、この取り換え作業を行うために、パドルの間をつなぐカップリングを外し、シャフトを支えながら行っていたが、非常に時間、費用、労力を要する作業であった。
【０００６】
この問題に関連して、たとえば実開平2−66762号では、作業可能範囲内で池内の水面を下げなくてもシールリングを交換可能とする装置を提案している。この装置によると、シールリングとシャフトの間に挿入するシール押し部材を使用して、シール状態を維持しつつ、シールリングを取り換えることができると述べている。
【発明の概要】
【発明が解決しようとする課題】
【０００７】
上記従来技術では、シールリングの取り換え作業の予備段階について記載しているが、取り換え作業自体については何も記載していない。
【０００８】
本発明は、このシールリングの取り換えを簡単迅速に行う方法とそれに使用する器具を提供することを目的とする。
【課題を解決するための手段】
【０００９】
本発明は、フロキュレータ用水中軸受のシールリング取り換え方法であって、次の工程を有することを特徴とする方法である（請求項１）。
(a) 軸受のケーシングを取り外す工程、
(b) 古いシールリングを除去する工程、
(c) 少なくとも１カ所で切断された新しいシールリングを用意し、該切断部を広げてシャフトにかぶせる工程、
(d) 押圧部を有するシールリング押し込み部材を前記シールリングにかぶせて、前記押圧部がシールリングと接触するようにする工程、
(e) シールリング押し込み部材と共に、シールリングを所定位置まで押し込む工程、
(f) シールリング押し込み部材を取り外す工程、
(g) シールリングの切断部の切断面を接合する工程、
(h) シールリングの締め込み部材でシールリングを締め込む工程、
(i) 前記ケーシングを再び取り付ける工程。
前記(a)〜(i)の工程の順番は、論理矛盾を起こさない限り、前後してもよい。
【００１０】
本発明で使用する器具は、請求項１の方法に使用するシールリング押し込み部材であって、少なくとも２つに分割可能であり、シールリングの少なくとも後端部を包み込む大きさと形状を有すると共に、シールリングを押圧する押圧部を有することを特徴とする（請求項２）。
【００１１】
好ましくは、前記押圧部は傾斜している。好ましい傾斜角度はシールリングの隆起部角度とほぼ等しい（請求項３）。
【００１２】
好ましくは、古いオイルシールを新しいオイルシールに取り換える工程をさらに有する（請求項４）。
【発明の効果】
【００１３】
本発明によれば、シールリングは少なくとも１カ所で切断されているので、切断部を広げてシャフトにかぶせることができ、フロキュレータを分解するような作業は不要となる。
【００１４】
また、所定のシールリング押し込み部材を使用することにより、シールリングのきわめて精度が高い位置設定が可能となった。
【図面の簡単な説明】
【００１５】
【図１】本発明を使用するフロック形成池の縦断面図である。
【図２】図１のフロック形成池の横断面図である。
【図３】本発明の１実施例にかかる軸受の断面図である。
【図４】図３の軸受の側面図である。
【図５】シールリング取り付け方法を示す１段階である。
【図６】シールリング取り付け方法を示す１段階である。
【図７】シールリング取り付け方法を示す１段階である。
【図８】シールリング取り付け方法を示す１段階である。
【図９】シールリング取り付け方法を示す１段階である。
【図１０】図8の状態の断面図である。
【図１１】図９の状態の断面図である。
【発明を実施するための形態】
【００１６】
図１、図２に浄水プラントの要部全体図を示す。これらの図において、１は混和池であり、該混和池１において被処理水に凝集剤、ｐＨ調整剤等が添加され、攪拌されて薬品混和が行われる。そのために、被処理水内にタービン羽根１３が回転自在に配設され、駆動装置１４によって駆動されるようになっている。前記混和池１において薬品混和が行われた後の被処理水１１は、フロック形成池１５に供給される。該フロック形成池１５においては、薬品混和が行われた被処理水１１が低速で攪拌され、沈降可能なまでに被処理水中のフロックの成長が促進される。
【００１７】
前記フロック形成池１５は、例えば、３個のフロック槽１６ａ、１６ｂ、１６ｃに分割され、各フロック槽に被処理水１１を低速で攪拌するためのフロキュレータ１７が配設される。該フロキュレータ１７は、シャフト１８に簀の子状のパドル１９を複数個固定して形成され、駆動装置２０によってシャフト１８が回転させられるようになっている。
【００１８】
したがって、前記駆動装置２０を駆動することによってシャフト１８を回転させると、前記パドル１９がシャフト１８の回転に伴って被処理水内を強制的に回動させられる。その結果、フロック形成池内において被処理水中のフロックの成長が促進される。
【００１９】
前記シャフト１８は被処理水１１中において水平に配設され、両端が軸受２１によって支持され、ボールベアリング２５（図３）により回転自在とされている。該軸受２１はフロック形成池の筐体から突設された支持体２２に固定される。
【００２０】
図３、図４において、２３は軸受ケーシング、１８はパドル１９が固定されたシャフト、２３は支持体、２８はシャフト１８を被覆するスリーブである。該軸受ケーシング２３は上半部分２３ａと下半部分２３ｂとから成り、両者はボルト２４によって結合されている。
【００２１】
該軸受ケーシング２３内部には、ボールベアリング２５が内蔵されている。これらの内部機構を水密状態に維持するのがケーシング内で外方側に位置するゴム製のシールリング３０および内方に位置するオイルシール２７である。
【００２２】
以下、このシールリング３０の取り換え方法について説明する。
【００２３】
まず、軸受ケーシング２３の上半部分２３ａと下半部分２３ｂに分解して取り外し、古くなり劣化したシールリングを露出させ、これを取り除く（図示せず）。同時に、古くなったオイルシール２７も取り除き、新しいものと交換する。
【００２４】
取り換える新しいシールリング３０は図５に示すようなものである。タイヤとチューブを外した自転車の車輪のような外観を有し、リング本体３１と、本体前後の隆起部３２、３３からなる。隆起部３２、３３は外側に向かって傾斜しているので横断面はＶ字型である（図３、図１０、図１１）。リング本体３１の内側には複数本の突起３４があり、この突起３４をスリーブ２８の溝２６と係合させ、さらに締め込み部材３５で締め込むことにより、水密状態が維持される。締め込み部材３５は長さ調節が可能な金属ベルトである。
【００２５】
本発明で使用するシールリング３０は１カ所で切断したものを用いる（図５）。シールリング３０はゴム製であるので、作業員は切断部３６を大きく開くことができ、開いた状態でシャフト１８またはスリーブ２８にかぶせる(図６)。
【００２６】
続いて、本発明のもっとも特徴的な作業であるが、シールリング押し込み部材４０を取り付ける。シールリング押し込み部材４０は、図７に示すように、上半部分４１ａと下半部分４１ｂに２分割可能であり、開閉可能な固定具４２を使用してリング状態にすることもできる器具である。シールリング押し込み部材４０を開閉可能とする機構はどのようなものでもよいが、たとえば、係止用の爪４３とバー４４およびバネ４５で付勢されたレバー４６の組み合わせとすることができる。
【００２７】
図１０、図１１に示すように、シールリング押し込み部材４０は、後端にシールリング３０をひっかけるための、内方へ延びる押圧部４７を有する。押圧部４７はシールリング３０の傾斜した隆起部３３の傾斜角度とほぼ同じにすることが好ましい。幸い、シールリング３０市販品はすべて同じ傾斜角度を有しているので、シールリング押し込み部材４０は何種類も用意する必要はない。押し込みのために正確な位置決めが大切なので、精密に加工した金属製とすることが好ましい。
【００２８】
シールリング押し込み部材４０をシールリング３０にかぶせた状態を図８、図１０に示す。この状態で作業員が矢印方向にシールリング押し込み部材４０を押して（図１０）、シールリングを正しい位置（スリーブ２８に溝２６がある位置である）まで移動させる。
【００２９】
その位置で、シールリング押し込み部材４０を取り外し、切断部３６の切断面は接着剤で閉じると共に、締め込み部材３５でシールリング３０をしっかりと締め込む（図９、図１１）。これで新しいシールリング３０が取り付けられ、シールリング押し込み部材４０は用済みとなる。シールリング３０はフロキュレータの水中軸受の中で多数使用されているが、シールリング押し込み部材４０は１つだけあれば、すべての取り換え作業に使用できる。
【００３０】
最後にケーシング２３を元に戻して作業は完了する。
【先行技術文献】
【特許文献】
【００３１】
【特許文献１】実開平2−66762号
【符号の説明】
【００３２】
１     混和池
１１   被処理水
１３   タービン羽根
１４   駆動装置
１５   フロック形成池
１６ａ フロック槽
１７   フロキュレータ
１８   シャフト
１９   パドル
２０   駆動装置
２１   軸受
２２   支持体
２３   軸受ケーシング
２３ａ ケーシング上半部分
２３ｂ ケーシング下半部分
２４   ボルト
２５   ボールベアリング
２６   溝
２７  オイルシール
３０   シールリング
３１   リング本体
３２   隆起部
３３   隆起部
３４   突起
３５   締め込み部材
３６   切断部
４０   シールリング押し込み部材
４１ａ 押し込み部材上半部分
４１ｂ 押し込み部材下半部分
４２   固定具
４３   爪
４４   バー
４５   バネ
４６   レバー
４７   押圧部
【図１】
2014074430.tif 000003
【図２】
2014074430.tif 000004
【図３】
2014074430.tif 000005
【図４】
2014074430.tif 000006
【図５】
2014074430.tif 000007
【図６】
2014074430.tif 000008
【図７】
2014074430.tif 000009
【図８】
2014074430.tif 000010
【図９】
2014074430.tif 000011
【図１０】
2014074430.tif 000012
【図１１】
2014074430.tif 000013